(57)【要約】      （修正有）【課題】募集者が、募集者側携帯電話端末から募集者の募集情報が電子メール配信された作業者からの応募情報を確認し、作業者側携帯電話端末に直接架電できるような募集物件管理システムを提供する。【解決手段】管理サーバ１０に、作業者情報に含まれる電子メールアドレスへ募集物件に関する募集情報を電子メールにより配信するステップと、作業者側携帯電話機３０から募集物件への応募に関する応募情報を受付けるステップとを備え、作業者側携帯電話機３０に、電子メールを受信するステップと、応募情報を管理サーバ１０に送信するステップと、募集者側携帯電話機２０からの電話を受けるステップとを備え、募集者側携帯電話機２０に、管理サーバ１０が受付けた応募情報を確認するステップと、確認中の応募情報に対応する作業者側携帯電話機３０を架電先として指定する電話番号ボタンと、架電先へ架電するステップとを備えた。【選択図】図１
2006293915.tif 000002
【特許請求の範囲】
【請求項１】
作業者を募集する募集者が使用する募集者側携帯電話端末と、
作業者が使用する作業者側携帯電話端末とを、
募集物件と作業者とを管理する管理サーバに電気通信回線を介して通信可能に接続した募集物件管理システムであって、
前記管理サーバに、
作業者に関する作業者情報を複数人について記憶する作業者情報記憶手段と、
前記作業者情報に含まれる電子メールアドレスへ、前記募集物件に関する募集情報を電子メールにより配信する電子メール配信手段と、
前記作業側携帯電話端末から前記募集物件への応募に関する応募情報を受け付ける応募受付手段とを備え、
前記作業者側携帯電話端末に、
前記電子メールを受信するメール受信手段と、
前記応募情報を前記管理サーバに送信する応募情報送信手段と、
募集者側携帯電話端末からの電話を受ける受話手段とを備え、
前記募集者側携帯電話端末に、
前記管理サーバが受け付けた応募情報を確認する応募情報確認手段と、
確認中の前記応募情報に対応する前記作業者側携帯電話端末を架電先として指定する架電先指定手段と、
該架電先指定手段で指定された架電先へ架電する架電手段とを備えた
募集物件管理システム。
【請求項２】
前記作業者情報記憶手段に、各作業者の待遇を示す待遇情報を記憶し、
前記管理サーバに、
各作業者の前記待遇情報を、それぞれの前記作業者側携帯電話端末に出力する待遇出力手段を備えた
請求項１に記載の作業者募集物件管理システム。
【請求項３】
前記管理サーバに、
前記応募情報を受け付ける前に、前記募集物件に対する応募状況を、前記作業者側携帯電話端末に出力する応募状況出力手段を備えた
請求項１、または２に記載の作業者募集物件管理システム。
【請求項４】
前記募集者側携帯電話に、
当該募集物件の作業者に関する条件となる案内条件を入力する案内条件入力手段と、
前記作業者情報に含まれる電子メールアドレスへの前記募集情報の配信を、前記電子メール配信手段に指示する電子メール配信指示手段を備え、
前記管理サーバに、
指定された前記案内条件と、前記作業者情報とに基づいて、該当する前記作業者を抽出する作業者抽出手段とを備え、
前記電子メール配信手段を、
前記電子メール配信指示手段からの配信指示により、前記抽出された作業者の電子メールアドレスへ前記募集情報を電子メールにより配信する構成とした
請求項１、２または３に記載の作業者募集物件管理システム。
【請求項５】
前記管理サーバに、
前記作業者抽出手段によって抽出された前記作業者の人数を, 前記募集者側携帯電話端末に出力する抽出人数出力手段を備えた
請求項４に記載の作業者募集物件管理システム。
【請求項６】
作業者を募集する募集者が使用する募集者側携帯電話端末と、
作業者が使用する作業者側携帯電話端末とを、
募集物件と作業者とを管理する管理サーバに電気通信回線を介して通信可能に接続した募集物件管理システムの前記管理サーバに組み込まれる募集物件管理プログラムであって、
作業者情報記憶手段によって、作業者に関する作業者情報を複数人について記憶する処理と、
電子メール配信手段によって、前記作業者情報に含まれる電子メールアドレスへ、前記募集物件に関する募集情報を電子メールにより配信する処理と、
応募受付手段によって、前記作業側携帯電話端末から前記募集物件への応募に関する応募情報を受け付ける処理と、
応募情報出力手段によって、受け付けた応募情報を、募集者側携帯端末で架電先として指定可能に出力する処理とを実行する
募集物件管理プログラム。
【発明の詳細な説明】
【技術分野】
【０００１】
この発明は、例えば募集者が、募集者側携帯電話端末から、電気通信回線を介して、募集者の募集情報が電子メール配信された作業者からの応募情報を確認し、作業者側携帯電話端末に直接架電できるような募集物件管理システムに関する。
【背景技術】
【０００２】
近年、ある時期に仕事が集中するため、その時期に多くの作業者を確保する必要のある業種の求人に対して以下のような求人システムが提案されている。当該システムは、予め、作業を希望する作業希望者を、作業希望者の諸条件とともに登録し、募集者が求人する物件の条件に合う作業希望者を抽出して、抽出された作業希望者に求人依頼メールを送信することができ、また、求人依頼メールを受け取った作業希望者が、求人依頼メールを返信することで、募集者に返事できるシステムである（特許文献１参照）。
【０００３】
しかし、上記システムでは、募集者と作業希望者とは、実際の作業が開始するまでは、電子メールだけでしか連絡できないため、お互いに相手を電子メールの文面でしか判断できなかった。また、電子メールは手軽である反面、電子メールのやりとりだけでは、お互いの信頼度や義務感が低く、作業開始直前のキャンセルや無断キャンセル等が発生しやすい。したがって、上記システムは、作業希望者側にとっても、採用する募集者側にとっても安心して活用できるシステムではなかった。
【０００４】
【特許文献１】特開２００２−３４２４６９号公報
【発明の開示】
【発明が解決しようとする課題】
【０００５】
この発明は、募集者が、募集者側携帯電話端末から、電気通信回線を介して、募集者の募集情報が電子メール配信された作業者からの応募情報を確認し、作業者側携帯電話端末に直接架電できるような募集物件管理システムを提供することを目的とする。
【課題を解決するための手段】
【０００６】
この発明は、作業者を募集する募集者が使用する募集者側携帯電話端末と、作業者が使用する作業者側携帯電話端末とを、募集物件と作業者とを管理する管理サーバに電気通信回線を介して通信可能に接続した募集物件管理システムであって、前記管理サーバに、作業者に関する作業者情報を複数人について記憶する作業者情報記憶手段と、前記作業者情報に含まれる電子メールアドレスへ、前記募集物件に関する募集情報を電子メールにより配信する電子メール配信手段と、前記作業側携帯電話端末から前記募集物件への応募に関する応募情報を受け付ける応募受付手段とを備え、前記作業者側携帯電話端末に、前記電子メールを受信するメール受信手段と、前記応募情報を前記管理サーバに送信する応募情報送信手段と、募集者側携帯電話端末からの電話を受ける受話手段とを備え、前記募集者側携帯電話端末に、前記管理サーバが受け付けた応募情報を確認する応募情報確認手段と、確認中の前記応募情報に対応する前記作業者側携帯電話端末を架電先として指定する架電先指定手段と、該架電先指定手段で指定された架電先へ架電する架電手段とを備えた募集物件管理システムであることを特徴とする。
【０００７】
上記携帯電話端末は、無線で音声通話を行う通話手段、無線でデータ通信を行う通信手段、通信されたデータ等を表示する表示手段、データ等を入力する入力手段、および記憶手段で構成し、該記憶手段に、電子メール作成、および送受信等のできるメーラー、およびホームページ等の閲覧可能なブラウザ等を格納している携帯電話端末であることを含む。  
また、上記サーバは、パーソナルコンピュータや携帯電話端末等で構成し、データベースサーバ、ＷＥＢサーバ、および電子メール配信サーバ等を有するサーバであることを含む。
【０００８】
また、上記電気通信回線は、インターネットやパケット通信網等の公衆回線であることを含む。  
また、上記作業者情報は、作業者のアカウント、氏名、リモートアドレス、パスワード、携帯電話端末の電話番号、電子メールアドレス、および作業者の作業希望条件等の作業者に関する情報であることを含む。
【０００９】
また、上記募集情報は、作業内容、作業管理センター、募集人員数、および給与等の募集物件に関する情報であることを含む。  
また、上記応募情報送信手段は、携帯電話端末の通信手段と、ブラウザにより、前記携帯電話端末から前記サーバにアクセスして、サーバ内に格納された応募フォームによって応募する制御手段とで構成することを含む。
【００１０】
また、上記応募状況確認手段は、前記携帯電話端末から前記サーバにアクセスして、サーバが受け付けた応募情報を確認する前記携帯電話端末のブラウザであることを含む。  
また、上記架電先指定手段は、前記携帯電話端末から前記サーバにアクセスして、サーバ内に格納された応募情報を確認し、応募情報に対応する応募した作業者情報の連絡先を指定する前記携帯電話端末のブラウザであることを含む。
【００１１】
上記構成により、募集者は募集物件の募集情報に基づいて応募した作業者の応募情報を確認して、採用する作業者を選択することができる。また、選択した作業者の携帯電話端末に直接架電することができる。  
これにより、募集者は選択した作業者と、通話による募集物件に関する詳細な打合せを行うことができる。したがって、募集者、および作業者は、直接電話で通話することによって、電子メールの文面から読み取れない、互いの情報をやり取りでき、当該募集物件に関する採用において、安心感を得ることができる。また、直接通話することによって、採用された作業者が、間際になってから、当該募集物件に参加することをキャンセルする確率を低減することができる。したがって、効率の良い採用を行うことができる。
【００１２】
この発明の態様として、前記作業者情報記憶手段に、各作業者の待遇を示す待遇情報を記憶し、前記管理サーバに、各作業者の前記待遇情報を、それぞれの前記作業者側携帯電話端末に出力する待遇出力手段を備えることができる。
【００１３】
上記待遇情報は、各作業者の過去の作業に基づく勤務評価等に基づく給与割増率等の待遇情報であることを含む。  
上記待遇出力手段は、応募のために前記携帯電話端末から前記サーバにアクセスされた際に前記携帯電話端末のブラウザに待遇条件を出力する出力手段、または募集情報配信時の電子メールに待遇条件を付加した文面を作成する文面作成手段で構成することを含む。  
上記構成により、応募する作業者は、応募する際に自分の待遇を確認することができる。
【００１４】
これにより、応募する作業者は今までの勤務評価により、自分の給与が標準給与より割り増しされていること等の待遇を知ることができ、評価の高い作業者に対して応募意欲を向上させることができる。また、継続的な勤務評価によって、給与等の割増し待遇を享受できるため、作業に対する勤務意欲を向上することができる。したがって、募集者は、優秀な人材を集めることができる。
【００１５】
また、この発明の態様として、前記管理サーバに、前記応募情報を受け付ける前に、前記募集物件に対する応募状況を、前記作業者側携帯電話端末に出力する応募状況出力手段を備えることができる。
【００１６】
上記応募状況出力手段は、前記携帯電話端末から応募するために前記サーバにアクセスした際に、前記携帯電話端末のブラウザに、応募状況を出力する出力手段で構成することを含む。  
上記構成により、作業者は、募集物件に応募する際に、募集物件の応募状況を確認することができる。
【００１７】
これにより、応募者多数の募集物件に応募して、応募が無駄になるとことを防止できる。また、応募する作業者は、応募状況と、自己の今後予定とを考慮しながら、応募を急ぐ、あるいは猶予するといったように、自己の状況に合わせて募集物件に応募することができる。
【００１８】
また、この発明の態様として、前記募集者側携帯電話に、当該募集物件の作業者に関する条件となる案内条件を入力する案内条件入力手段と、前記作業者情報に含まれる電子メールアドレスへの前記募集情報の配信を、前記電子メール配信手段に指示する電子メール配信指示手段を備え、前記管理サーバに、指定された前記案内条件と、前記作業者情報とに基づいて、該当する前記作業者を抽出する作業者抽出手段とを備え、前記電子メール配信手段を、前記電子メール配信指示手段からの配信指示により、前記抽出された作業者の電子メールアドレスへ前記募集情報を電子メールにより配信する構成とすることができる。
【００１９】
上記電子メール配信指示手段は、前記携帯電話端末から前記サーバにアクセスして、サーバ内の電子メール配信手段に、抽出された前記作業者への電子メールの配信指示する前記携帯電話端末のブラウザであることを含む。  
上記構成により、募集者は、登録した作業者のうち、募集物件の案内条件に該当する作業者に絞り込んで、募集情報を電子メールで送信することができる。  
これにより、さらに効率の良い募集を行うことができる。
【００２０】
また、この発明の態様として、前記管理サーバに、前記作業者抽出手段によって抽出された前記作業者の人数を, 前記募集者側携帯電話端末に出力する抽出人数出力手段を備えることができる。
【００２１】
上記抽出人数出力手段は、案内条件に基づいて抽出した前記作業者の人数を前記携帯電話端末のブラウザに出力する出力手段で構成することを含む。  
サーバ内の作業者抽出手段に、前記携帯電話端末のブラウザであることを含む。  
上記構成により、募集者は、登録した作業者のうち、募集物件の案内条件に該当する作業者の人数を、募集情報の電子メールを送信する前に確認することができる。
【００２２】
これにより、例えば、入力した案内条件に該当する作業者数が予想よりはるかに多い場合は案内条件を付加し、また、前記該当する作業者数が少ない場合は案内条件を緩和するといったように、抽出された人数を確認しながら案内条件を調整することができ、さらに効率の良い募集を行うことができる。
【００２３】
この発明は、作業者を募集する募集者が使用する募集者側携帯電話端末と、
作業者が使用する作業者側携帯電話端末とを、募集物件と作業者とを管理する管理サーバに電気通信回線を介して通信可能に接続した募集物件管理システムの前記管理サーバに組み込まれる募集物件管理プログラムであって、作業者情報記憶手段によって、作業者に関する作業者情報を複数人について記憶する処理と、電子メール配信手段によって、前記作業者情報に含まれる電子メールアドレスへ、前記募集物件に関する募集情報を電子メールにより配信する処理と、応募受付手段によって、前記作業側携帯電話端末から前記募集物件への応募に関する応募情報を受け付ける処理と、応募情報出力手段によって、受け付けた応募情報を、募集者側携帯端末で架電先として指定可能に出力する処理とを実行することを特徴とする。
【００２４】
上記構成により、複数人の作業者の作業者情報を記憶し、該作業者情報に含まれる電子メールアドレスへ、前記募集物件に関する募集情報を電子メールにより配信し、前記作業側携帯電話端末から前記募集物件への応募に関する応募情報を受け付け、前記管理サーバが受け付けた応募情報を出力し、出力中の応募情報に対応する前記作業者側携帯電話端末を架電先として表示することができる。
【発明の効果】
【００２５】
この発明によれば、募集者が、募集者側携帯電話端末により、作業者の応募情報を確認し、作業者側携帯電話端末に直接架電することができる。
【発明を実施するための最良の形態】
【００２６】
この発明の一実施形態を以下図面と共に説明する。  
まず、図１に示すシステム構成図と共に、作業者募集管理システム１のシステム構成について説明する。  
作業者募集管理システム１は、管理サーバ１０と、パケット通信網５２に基地局５３を介して無線通信可能な募集者側携帯電話機２０、および作業者側携帯電話機３０とで構成している。  
ここで、募集者側携帯電話機２０、および作業者側携帯電話機３０は複数存在しており、正確には作業者募集管理システム１を利用する企業等の募集者数、および作業者数だけ存在している。
【００２７】
なお、作業者募集管理システム１は、募集者側携帯電話機２０、および作業者側携帯電話機３０が複数存在するキャリアのうち、いずれのキャリアであっても対応できる構成としている。  
インターネット５１とパケット通信網５２は接続されており、募集者側携帯電話機２０、および作業者側携帯電話機３０からインターネット５１に接続されているＷＥＢサーバのホームページ閲覧やメールサーバへのメール送信が行えるように構成している。
【００２８】
管理サーバ１０は、ＷＥＢサーバ機能、データベースサーバ機能、およびメールサーバ機能を備えており、記憶装置（例えばハードディスク）に記憶した募集者管理データベース（ＤＢ）１１によって募集者情報、募集物件情報、および募集物件に対する作業者の応募情報を管理し、また、作業者管理データベース（ＤＢ）１２によって作業者の個人情報を管理している。  
上記募集者情報には、募集者の名称、住所、連絡先、および募集者側携帯電話機２０の電子メールアドレス等が含まれ、上記募集物件情報には、募集物件に関する日時、給与、募集者数、募集期日等の募集物件情報が含まれる。なお、募集物件情報には、当該募集物件に関する作業者の年齢、経験要等の案内条件が含まれてもよい。また、上記応募情報は、応募した作業者のＩＤや、応募日時、および応募した募集物件に関する情報等が含まれる。
【００２９】
また、上記作業者の個人情報には、作業者の氏名、住所、作業者側携帯電話機３０の電話番号、電子メールアドレス、作業する際に作業できる場所などの作業条件、以前にこの作業者を作業させたことのある募集者によって登録される勤務実績による勤務評価、および勤務評価に基づく待遇条件等が含まれている。
【００３０】
なお、管理サーバ１０はコンピュータであり、ＣＰＵとＲＯＭとＲＡＭで構成される制御装置、ハードディスク等の記憶装置、ＣＤ−ＲＯＭドライブやＦＤドライブ等の記憶媒体（ＣＤ−ＲＯＭやＦＤ等）を読取る記憶媒体読取装置、または記憶媒体読書き装置、マウスやキーボード等の入力装置、ＣＲＴや液晶画面等で構成する表示装置、およびインターネット５１を介して通信を行うＬＡＮボード等の通信装置を備えている。
【００３１】
また、上記記憶装置には、作業者情報登録プログラムや、募集者情報登録プログラムや、募集物件情報登録プログラムや、作業者フィルタリングプログラムや、電子メール配信実行プログラム等、必要な処理を実行するプログラムが格納されている。
【００３２】
募集者側携帯電話機２０は、募集者が所有する携帯電話機であり、基地局５３と無線で通信する。またブラウザ機能とメールの送受信機能とを備えており、ブラウザ機能によって、前記管理サーバ１０のＷＥＢサーバ機能で提供される募集者用ホームページにアクセスして、募集物件情報の登録が実行できる。  
また、ブラウザ機能によって、作業実績のある作業者の業務評価、および業務評価に基づく待遇条件を登録することができる。
【００３３】
作業者側携帯電話機３０は、作業者が所有する携帯電話機であり、基地局５３と無線で通信する。またブラウザ機能とメールの送受信機能とを備えており、ブラウザ機能によって、前記管理サーバ１０のＷＥＢサーバ機能で提供される作業者用ホームページにアクセスして、作業者情報の登録が実行でき、また、募集者によって登録された自己の業務評価による待遇を確認できるとともに、配信された募集物件情報に関する応募情報を登録することができる。  
また、メール送受信機能によって、管理サーバ１０から電子メール配信された募集者の募集物件情報が記載された電子メールを受信することができる。
【００３４】
なお、募集者側携帯電話機２０、および作業者側携帯電話機３０は、ＣＰＵとＲＯＭとＲＡＭとで構成する制御装置、不揮発性メモリ等で構成する記憶装置、液晶画面等で構成する表示装置、押下ボタン等で構成する入力装置、マイク等の音声入力装置、スピーカ等の発音装置、および、アンテナ等の通信装置（通信部）を備えている。  
また、上記記憶装置には、ブラウザプログラム（募集者側携帯電話機２０、および作業者側携帯電話機３０内）やメールプログラム（募集者側携帯電話機２０、および作業者側携帯電話機３０内）等、必要な処理を実行するプログラムが格納されている。
【００３５】
以上のシステム構成により、作業者は作業者側携帯電話機３０で管理サーバ１０にアクセスして、作業者情報の登録ができる。また、管理サーバ１０からの募集物件情報が記載された電子メールを受信することができ、管理サーバ１０にアクセスして、自己の業務評価、および待遇条件を確認するとともに、受信した募集物件に応募することができる。  
また、募集者は募集者側携帯電話機２０で管理サーバ１０にアクセスして、募集物件情報を登録できる。  
さらに、管理サーバ１０にアクセスして、電子メール配信を指示した募集物件に対する作業者の応募を確認することができるとともに、応募した作業者の作業者側携帯電話機３０に架電することができる。
【００３６】
管理サーバ１０は、インターネット５１を介して、作業者管理ＤＢ１２への登録を希望する作業者の作業者情報を取得できるとともに、募集者管理ＤＢ１１への登録する募集者の募集物件情報を取得できる。  
また、電子メール配信した作業者からのアクセスとともに、登録した作業者の応募情報の登録を許容し、管理することができる。さらに、募集者からのアクセスを許容し、募集者側携帯電話機２０に対して、募集者の募集物件に対して応募した作業者の応募情報を出力することができる。
【００３７】
次に、図２〜図７に示すデータ構成図と共に、管理サーバ１０の募集者管理ＤＢ１１、および作業者管理ＤＢ１２に格納するデータについて説明する。なお、後述する募集者情報テーブル４１、募集物件情報テーブル４２、および応募履歴テーブル４５は募集者管理ＤＢ１１に格納し、登録作業者情報テーブル４３、作業者選択センター管理テーブル４４、およびランク別給与割増率管理テーブル４６は作業者管理ＤＢ１２に格納している。
【００３８】
図２は、募集者情報テーブル４１を示し、該募集者情報テーブル４１は次に説明する各項目（フィールド）を備えている。
【００３９】
センターＩＤは、管理サーバ１０が提供する募集者用ホームページに、募集者がログインに使用する募集者ログインＩＤであり、募集者毎にユニークなＩＤとして、自動的に採番したオートナンバーを格納する。  
支店は、募集者が所属する支店名（企業名）を格納する。  
センターは、募集者となるセンターの名称を格納する。  
パスワードは、管理サーバ１０が提供する募集者用ホームページに、募集者がログインに使用する募集者ログインパスワードを格納する。  
以上の構成により、管理サーバ１０は、募集者の情報を管理するが、上記管理情報以外に、募集者の連絡先、住所等の適宜の募集者情報を登録してもよい。
【００４０】
なお、この募集者情報テーブル４１は、募集者から申し込み用紙を受け取って手入力する、あるいは、管理サーバ１０により申し込み用のホームページを提供して自動登録する等、適宜の方法で登録すると良い。
【００４１】
図３は、募集物件情報テーブル４２を示し、該募集物件情報テーブル４２は次に説明する各項目を備えている。  
募集ＩＤは、募集物件毎にユニークなＩＤとして、自動的に採番したオートナンバーを格納する。  
センターＩＤは、当該募集物件を登録したセンターＩＤを格納する。  
作業内容は、当該募集物件の作業内容を格納する。  
募集人数は、当該募集物件の募集する人員数を格納する。  
残業は、当該募集物件の予定される残業の有無を格納する。
【００４２】
給与種別は、当該募集物件の給与の日給あるいは時給の種別を格納する。  
基本給与は、当該募集物件の給与種別に基づく基本給与金額を格納する。  
日時は、当該募集物件の作業日時、および開始予定時間、および終了予定時間を格納する。  
手当ては、当該募集物件の手当て（例えば、資格手当て等）の有無を格納する。  
集合場所は、当該募集物件の集合場所に関する情報を格納する。  
備考は、当該募集物件に関する付加情報（例えば、交通費支給等）を格納する。  
表示は、当該募集物件を管理サーバ１０によって提供されるホームページに表示するか否かに関する情報を格納する。
【００４３】
以上の構成により、募集物件に関する募集物件情報を管理する。なお、募集物件情報テーブル４２に、募集者が希望する作業者に関する案内条件を登録して管理してもよい。  
なお、この募集物件情報テーブル４２は、本実施形態においては、募集者側携帯電話機２０から管理サーバ１０が提供する登録用のホームページに自動登録するが、募集者から申し込み用紙を受け取って手入力する等の適宜の方法で登録すると良い。
【００４４】
図４は、登録作業者情報テーブル４３を示し、該登録作業者情報テーブル４３は次に説明する各項目を備えている。  
作業者ＩＤは、作業者毎にユニークなＩＤとして、自動的に採番したオートナンバーを格納する。  
アカウントは、管理サーバ１０が提供する作業者用ホームページに、作業者がログインに使用する作業者ログインアカウントであり、作業者が設定するアカウントを格納する。  
氏名は、作業者の氏名を格納する。  
リモートアドレスは、作業者が管理サーバ１０にアクセスした際に自動的に取得された作業者側携帯電話機３０のリモートアドレスを格納する。  
パスワードは、管理サーバ１０が提供する作業者用ホームページに、作業者がログインに使用する作業者ログインパスワードを格納する。
【００４５】
性別は、作業者の性別を格納する。  
生まれ年は、作業者の生まれ年を格納する。  
住所は、作業者の住所を格納する。  
電話番号は、作業者側携帯電話機３０の電話番号を格納する。  
電子メールアドレスは、作業者側携帯電話機３０の電子メールアドレスを格納する。  
職業は、作業者の職業の種別、学校名、学部名、および在籍番号等を格納する。  
ポイントは、作業者に、実際に作業を依頼したことのある募集者が、その作業時の勤務評価に基づいてポイントを付与し、このポイントを累積した累積ポイントを格納する。  
最終評価は、最後に評価した評価者（募集者）のセンター、および氏名と、その評価を格納する。
【００４６】
以上の構成により、登録した作業者の作業者情報を管理する。  
なお、この登録作業者情報テーブル４３は、本実施形態においては、作業者側携帯電話機３０から管理サーバ１０が提供する登録用のホームページに自動登録するが、作業者から申し込み用紙を受け取って手入力する等の適宜の方法で登録すると良い。  
なお、登録作業者情報テーブル４３に登録された作業者を、本明細書中の以下において、登録していない一般の作業者と区別するため、登録作業者とする。
【００４７】
図５は、作業者選択センター管理テーブル４４を示し、該作業者選択センター管理テーブル４４は次に説明する各項目を備えている。  
縦項目の作業者ＩＤは登録作業者情報テーブル４３に格納された登録作業者の作業者ＩＤを示し、横項目のセンターＩＤは募集者情報テーブル４１に格納された募集者のセンターＩＤを示している。  
テーブル内には、各登録作業者が登録の際に選択したセンター名に該当する箇所に、チェックマークで示すように、フラグを立てている。
【００４８】
以上の構成により、各登録作業者に選択されたセンターの情報を管理する。  
なお、この作業者選択センター管理テーブル４４も上記登録作業者情報テーブル４３と同様に、本実施形態においては、作業者側携帯電話機３０から管理サーバ１０が提供する登録用のホームページに自動登録するが、作業者から申し込み用紙を受け取って手入力する等の適宜の方法で登録すると良い。
【００４９】
図６は、応募履歴テーブル４５を示し、該応募履歴テーブル４５は次に説明する各項目を備えている。  
募集ＩＤは、登録作業者が応募した募集物件に対応する募集ＩＤを格納する。なお、この募集ＩＤは、募集物件情報テーブル４２に格納された募集ＩＤに対応する。  
作業者ＩＤは、管理サーバ１０が応募を許容した登録作業者の作業者ＩＤを格納する。なお、この作業者ＩＤは、登録作業者情報テーブル４３に格納された作業者ＩＤに対応する。  
応募日時は、管理サーバ１０が登録作業者からの応募を許容した日時を格納する。  
以上の構成により、登録作業者からの応募履歴を管理する。
【００５０】
図７は、ランク別給与割増率管理テーブル４６を示し、該ランク別給与割増率管理テーブル４６は次に説明する各項目を備えている。  
ランクは、ポイントによって振り分けられる５段階（Ａ〜Ｅ）のランクを格納する。  
ポイントは、各ランクに対応するポイントを格納する。  
給与割増率は、各ランクに対応する基本給与からの割増率を格納する。  
なお、初めて作業者募集管理システム１に登録した作業者は、Ｅランクが付与され、登録後の継続的な採用によって、そのときの勤務評価に基づいたポイントが付与され、累積ポイントによってランクが上昇する。また、Ａランクは、設定された最高のランクである。  
以上の構成により、各ランクに対応する基本給与からの割増率を管理する。
【００５１】
続いて、作業者募集管理システム１の動作について説明する。  
作業者募集管理システム１は、作業者側携帯電話機３０からの作業者登録処理、募集者側携帯電話機２０からの募集物件登録処理と募集物件情報配信処理、作業者側携帯電話機３０からの応募者登録処理、および募集者側携帯電話機２０からの採用処理で構成している。なお、作業者登録処理、および募集物件登録処理は、それぞれの作業者、およびそれぞれの募集物件に対して行なわれる。また、作業者登録処理、および募集物件登録処理の前後は問わず、作業者登録処理、および募集物件登録処理のそれぞれが、少なくとも１回ずつ行なわれた後に、募集物件情報配信処理以降が行なわれる。
【００５２】
次に、作業者が募集情報の電子メール配信を希望する旨の登録を行う登録処理について、図８から図１０に示すフローチャートと共に詳述する。  
作業者の操作によって作業者側携帯電話機３０が管理サーバ１０の提供する作業者用ホームページのＵＲＬへアクセスすると（ステップｓ１）、管理サーバ１０はトップ画面データを作業者側携帯電話機３０のブラウザにあわせた形式のデータ（ＨＴＭＬやＨＤＭＬ等）で送信する（ステップｓ２）。  
作業者側携帯電話機３０は、図１１の画面イメージ図に示すように、受信したトップ画面データによる作業者用トップ画面
をモニタ３１（図１）に表示する（ステップｓ３）。
【００５３】
このとき表示する作業者用トップ画面７０には、ロゴ画像、文章を表示すると共に、システム説明ボタン７１、お仕事一覧ボタン７２、ログインボタン７３、ユーザ登録ボタン７４、登録削除ボタン７５、およびリンクボタン７６を表示する。
【００５４】
ここで、システム説明ボタン７１は、システム説明を表示する画面に移行するボタンである。  
仕事一覧ボタン７２は、募集者によって登録された募集物件の一覧表示画面に移行するボタンである。  
ログインボタン７３は、登録作業者が配信された募集物件に対して、応募する際に作業者ログイン画面に移行するボタンである。  
ユーザ登録ボタン７４は、ユーザ登録を行う画面に移行するボタンである。  
登録削除ボタン７５は、登録作業者の作業者情報を削除する削除画面に移行するボタンである。  
リンクボタン７６は、管理サーバ１０を運営する管理者のホームページに移行するボタンである。
【００５５】
この作業者用トップ画面７０で、作業者によってシステム説明ボタン７１が選択されると（ステップｓ４：Ｙｅｓ）、管理サーバ１０は、システム説明表示画面データを作業者側携帯電話機３０のブラウザに合わせたデータ形式で送信する（ステップｓ５）。  
作業者側携帯電話機３０は、図１２の画面イメージ図に示すように、受信したシステム説明表示画面データによるシステム説明画面８０をモニタ３１（図１）に表示する（ステップｓ６）。
【００５６】
このシステム説明画面８０には、システム説明と共に、戻るボタン８１を表示する。  
戻るボタン８１は、手前の画面である作業者用トップ画面７０に戻るボタンである。  
作業者用トップ画面７０のユーザ登録ボタン７４が選択されるか（ステップｓ４：Ｎｏ）、システム説明画面８０で戻るボタン８１が押下され、作業者用トップ画面７０に戻った後にユーザ登録ボタン７４が押下されると、作業者側携帯電話機３０によりユーザ登録ボタン押下情報が送信され（ステップｓ７）、管理サーバ１０は、ユーザ規約同意画面データを作業者側携帯電話機３０のブラウザに合わせたデータ形式で送信する（ステップｓ８）。  
作業者側携帯電話機３０は、図１３の画面イメージ図に示すように、前記ユーザ規約同意画面データによるユーザ規約同意画面９０をモニタ３１（図１）に表示する（ステップｓ９）。
【００５７】
ユーザ規約同意画面９０は、文書を表示するとともに、所属センター選択プルダウンボタン９１、ユーザ規約ボタン９２、同意ラジオボタン９３、ユーザ登録画面へボタン９４、および戻るボタン９５を表示している。  
所属センター選択プルダウンボタン９１は、作業者が希望する所属センターを選択するプルダウンボタンである。  
ユーザ規約ボタン９２は、ユーザ規約を表示する画面に移行するボタンである。  
同意ラジオボタン９３は、ユーザ規約に同意するか否かを選択するラジオボタンである。  
ユーザ登録画面へボタン９４は、ユーザ登録画面に移行するボタンである。  
戻るボタン９５は、作業者用トップ画面７０に戻るボタンである。  
このユーザ規約同意画面９０でユーザ規約ボタン９２が押下されると、作業者側携帯電話機３０は、ユーザ規約ボタン押下情報を管理サーバ１０へ送信する（ステップｓ１０）。  
管理サーバ１０は、ユーザ規約ボタン押下情報を受信した後にユーザ規約画面データを作業者側携帯電話機３０のブラウザに合わせたデータ形式で送信する（ステップｓ１１）。  
作業者側携帯電話機３０は、受信したユーザ規約画面データに基づいて、図１４の画面イメージ図に示すように、ユーザ規約画面１００をモニタ３１（図１）に表示する（ステップｓ１２）。
【００５８】
このユーザ規約画面１００には、ユーザ規約と共に、戻るボタン１０１を表示する。  
戻るボタン１０１は、手前の画面であるユーザ規約同意画面９０に戻るボタンである。
【００５９】
このユーザ規約同意画面９０で、ユーザ規約ボタン９２が押下されずに同意ラジオボタン９３の「同意する」が選択された上でユーザ登録ボタン９４が選択されるか（ステップｓ１０：Ｎｏ）、ユーザ規約画面１００の戻るボタン１０１が選択されユーザ規約同意画面９０に戻った後に、同意ラジオボタン９３の「同意する」が選択された上でユーザ登録ボタン９４が選択されると、作業者側携帯電話機３０により同意情報が管理サーバ１０に送信され（ステップｓ１３：Ｙｅｓ）、管理サーバ１０はユーザ登録画面データを作業者側携帯電話機３０のブラウザに合わせたデータ形式で送信する（ステップｓ１４）。  
なお、ユーザ規約同意画面９０で、同意ラジオボタン９３の「同意しない」が選択された上でユーザ登録ボタン９４が押下され（ステップｓ１３：Ｎｏ）、作業者側携帯電話機３０により非同意情報が管理サーバ１０に送信されると、管理サーバ１０は、終了画面データを作業者側携帯電話機３０のブラウザに合わせたデータ形式で送信して作業者登録処理を終了する。  
作業者側携帯電話機３０は、図１５の画面イメージ図に示すように、前記ユーザ登録画面データによるユーザ登録画面１１０をモニタ３１（図１）に表示する（ステップｓ１５）。
【００６０】
ユーザ登録画面１１０は、氏名入力テキストボックス１１１、アカウントテキストボックス１１２、パスワードテキストボックス１１３、自宅住所入力ボックス１１４、携帯電話番号テキストボックス１１５、生年プルダウンボタン１１６、性別プルダウンボタン１１７、電子メールアドレス入力テキストボックス１１８、職業入力ボックス１１９、確認画面へボタン１２０、リモートアドレス表示部１２１、およびＴＯＰボタン１２２を備えている。  
ここで、氏名入力テキストボックス１１１は、作業者の氏名を入力させるテキストボックスである。  
アカウントテキストボックス１１２は、作業者が設定するアカウントを入力させるテキストボックスである。  
パスワードテキストボックス１１３は、作業者が設定するパスワードを入力させるテキストボックスである。  
自宅住所入力テキストボックス１１４（１１４ａ、１１４ｂ）は、作業者の自宅住所の都道府県を選択させるプルダウンボタン１１４ａと、都道府県以下の作業者の住所を入力させるテキストボックス１１４ｂとで構成している。  
携帯電話番号テキストボックス１１５は、作業者側携帯電話機３０の電話番号を入力させるテキストボックスである。
【００６１】
生年プルダウンボタン１１６は、作業者の生まれ年を選択させるプルダウンボタンである。  
性別プルダウンボタン１１７は、作業者の性別を選択させるプルダウンボタンである。  
電子メールアドレス入力テキストボックス１１８は、作業者の電子メールアドレスを入力させるテキストボックスである。  
職業入力ボックス１１９（１１９ａ〜１１９ｄ）は、作業者の職業種別を選択させるプルダウンボタン１１９ａと、学校名を入力させるテキストボックス１１９ｂと、学部名を入力させるテキストボックス１１９ｃと、在籍番号を入力させるテキストボックス１１９ｄとで構成している。  
確認画面へボタン１２０は、入力内容を確認する入力内容確認画面に移行するボタンである。  
リモートアドレス表示部１２１は、管理サーバ１０にアクセスした際に自動的に取得される作業者側携帯電話機３０のリモートアドレスを表示している。  
ＴＯＰボタン１２２は、作業者用トップ画面７０に移行するボタンである。
【００６２】
このユーザ登録画面１１０で各項目が入力され、確認画面へボタン１２０が押下されると、作業者側携帯電話機３０は確認ボタン押下情報とともにユーザ登録情報を管理サーバ１０へ送信する（ステップｓ１６）。  
管理サーバ１０は、確認ボタン押下情報を受信した後に確認画面データを作業者側携帯電話機３０のブラウザに合わせたデータ形式で送信する（ステップｓ１７）。  
作業者側携帯電話機３０は、受信した確認画面データに基づいて、図１６の画面イメージ図に示すように、ユーザ登録する情報を確認させるユーザ登録情報確認画面１３０をモニタ３１（図１）に表示する（ステップｓ１８）。
【００６３】
このユーザ登録情報確認画面１３０では、前記ユーザ登録画面１２０（図１５）で入力された各情報を表示すると共に、次へボタン１３１、戻るボタン１３２、およびＴＯＰボタン１３３を表示する。  
ここで、次へボタン１３１は、表示している内容を登録するとともに次のステップに移行するボタンである。  
戻るボタン１３２は、表示している内容を修正可能にするべく、作業者の入力内容を保持した上で前記ユーザ登録画面１２０を表示する画面に移行するボタンである。
【００６４】
ＴＯＰボタン１３３は、作業者用トップ画面７０に移行するボタンである。  
このユーザ登録情報確認画面１３０で、次へボタン１３１が選択されると、作業者側携帯電話機３０は、ユーザ登録情報確認画面１３０で表示された入力内容による登録を依頼することを示す登録依頼情報を送信し、管理サーバ１０は、上記ステップｓ１６にて送信されたユーザ登録情報（または登録依頼情報として送信された作業者のユーザ登録情報）を作業者管理ＤＢ１２に登録し（ステップｓ１９）、センター選択画面データを作業者側携帯電話機３０のブラウザに合わせたデータ形式で送信する（ステップｓ２０）。  
作業者側携帯電話機３０は、図１７の画面イメージ図に示すように、前記センター選択画面データに基づくセンター選択画面１４０をモニタ３１（図１）に表示する（ステップｓ２１）。
【００６５】
センター選択画面１４０は、支店チェックボックス１４１、センターチェックボックス１４２、および確認画面へボタン１４３を備えている。  
支店チェックボックス１４１、およびセンターチェックボックス１４２は作業者が希望する募集物件の配信先を選択するチェックボックスである。なお、支店チェックボックス１４１をチェックすると、選択した支店に所属する全センターを選択したこととなる。また、ユーザ規約同意画面９０で選択したセンターのチェックボックスは、図中の大阪北引越センターチェックボックス１４２ａに示すように、黒く表示され選択できず、これによりに二重登録を防止している。  
確認画面へボタン１４３は、選択内容を確認する選択内容確認画面に移行するボタンである。
【００６６】
このセンター選択画面１４０で各項目が選択され、確認画面へボタン１４３が押下されると、作業者側携帯電話機３０は入力されたセンター選択情報を管理サーバ１０へ送信する（ステップｓ２２）。  
管理サーバ１０は、センター選択情報を受信した後に選択内容確認画面データを作業者側携帯電話機３０のブラウザに合わせたデータ形式で送信する（ステップｓ２３）。  
作業者側携帯電話機３０は、受信した選択内容確認画面データに基づいて、図１８の画面イメージ図に示すように、センター選択情報を確認させるセンター選択確認画面１５０をモニタ３１（図１）に表示する（ステップｓ２４）。
【００６７】
このセンター選択確認画面１５０では、前記センター選択画面１４０（図１７）で選択されたセンターを表示すると共に、登録ボタン１５１、戻るボタン１５２、およびＴＯＰボタン１５３を表示する。  
登録ボタン１５１は、表示している内容での登録を依頼するボタンである。  
戻るボタン１５２は、表示している内容を修正可能にするべく、作業者の入力内容を保持した上で前記センター選択画面１４０を表示する画面に移行するボタンである。  
ＴＯＰボタン１５３は、作業者用トップ画面７０に移行するボタンである。
【００６８】
このセンター選択確認画面１５０で、登録ボタン１５１が選択されると、作業者側携帯電話機３０は表示した選択センターでの登録を依頼することを示す登録依頼情報を送信し、管理サーバ１０は、上記ステップｓ２２にて送信されたセンター選択情報を作業者管理ＤＢ１２に登録し（ステップｓ２５）、登録完了後に完了画面データを作業者側携帯電話機３０のブラウザに合わせたデータ形式で送信する（ステップｓ２６）。  
この作業者側携帯電話機３０は、図１９の画面イメージ図に示すように、登録が完了した旨を確認させる登録完了確認画面１６０をモニタ３１（図１）に表示する（ステップｓ２７）。なお、登録完了確認画面１６０には、作業者用トップ画面７０に移行するＴＯＰページへボタン１６１を表示している。  このＴＯＰページへボタン１６１が押下されると、作業者用トップ画面７０へ移行して作業者登録処理は終了する。
【００６９】
以上の動作により、作業者が作業者側携帯電話機３０を操作して、管理サーバ１０への作業者登録、および選択条件を登録することができる。これにより、管理サーバ１０では募集情報の電子メールの配信を希望している作業者を管理することができ、選択条件に該当する作業者にだけ作業情報の電子メールを送信できる環境が整う。  
したがって、作業者は、多くの募集物件情報の記載された電子メール配信を希望する場合は、多くのセンターを登録することができるといったように、自己の希望に沿った作業者登録を行うことができ、登録に関する作業者の満足度を向上させることができる。
【００７０】
次に、募集者が募集物件登録を管理サーバ１０にアクセスして行う募集物件の登録処理について、図２０から図２２に示すフローチャートと共に詳述する。  
募集者の操作によって募集者側携帯電話機２０が管理サーバ１０の提供する募集者用ホームページのＵＲＬへアクセスすると（ステップｎ１）、管理サーバ１０は募集者トップ画面データを募集者側携帯電話機２０のブラウザにあわせた形式のデータ（ＨＴＭＬやＨＤＭＬ等）で送信する（ステップｎ２）。  
募集者側携帯電話機２０は、図２３の画面イメージ図に示すように、受信した募集者トップ画面データによる募集者トップ画面１７０をモニタ２１（図１）に表示する（ステップｎ３）。
【００７１】
この募集者トップ画面１７０には、支店選択ボタン１７１を表示する。  
ここで、支店選択ボタン１７１は、募集者が所属する支店を選択し、募集者ログイン画面に移行するボタンである。  
この募集者トップ画面１７０で該当する支店が選択されて、支店選択ボタン１７１が押下されると、募集者側携帯電話機２０は入力された支店選択情報を管理サーバ１０へ送信する（ステップｎ４）  。
【００７２】
管理サーバ１０は、支店選択情報を受信した後に募集者ログイン画面データを募集者側携帯電話機２０のブラウザに合わせたデータ形式で送信する（ステップｎ５）。  
募集者側携帯電話機２０は、受信した募集者ログイン画面データに基づいて、図２４の画面イメージ図に示すように、募集者ログイン画面１８０をモニタ２１（図１）に表示する（ステップｎ６）。
【００７３】
この募集者ログイン画面１８０では、センター選択プルダウンボタン１８１、パスワード入力テキストボックス１８２、およびログインボタン１８３、および戻るボタン１８４を表示する。  
ここで、センター選択プルダウンボタン１８１は、募集者のセンター名を選択するプルダウンボタンである。  
パスワード入力テキストボックス１８２は、募集者が作業者募集管理システム１を利用する際に設定し、募集者情報テーブル４１に格納している自己のパスワードを入力するテキストボックスである。  
ログインボタン１８３は、ログインして募集物件管理画面に移行するボタンである。
【００７４】
戻るボタン１８４は、前記募集者トップ画面１７０に移行するボタンである。  
この募集者ログイン画面１８０で、センター選択プルダウンボタン１８１でセンター名が選択され、パスワード入力テキストボックス１８２にパスワードが入力された後に、ログインボタン１８３が押下されると、募集者側携帯電話機２０はセンター名、およびパスワードの入力情報を管理サーバ１０へ送信する（ステップｎ７）。  
管理サーバ１０は、入力情報を受信した後に、管理サーバ１０に記憶された募集者情報テーブル４１内に格納された募集者のパスワードを照会し、パスワードが適合する場合（ステップｎ８：Ｙｅｓ）は、募集物件管理画面データを募集者側携帯電話機２０のブラウザに合わせたデータ形式で送信する（ステップｎ９）。もし、パスワードが適合しない場合（ステップｎ８：Ｎｏ）は、募集物件管理画面データを募集者側携帯電話機２０のブラウザに合わせたデータ形式で送信（ステップｎ５）して、再度のログインを促す。  
募集者側携帯電話機２０は、受信した募集物件管理画面データに基づいて、図２５の画面イメージ図に示すように、募集物件管理画面１９０をモニタ２１（図１）に表示する（ステップｎ１０）。
【００７５】
この募集物件管理画面１９０では、新規登録ボタン１９１、仕事一覧ボタン１９２、およびログアウトボタン１９３を表示する。  
ここで、新規登録ボタン１９１は、募集物件の募集物件登録画面に移行するボタンである。  
仕事一覧ボタン１９２は、既登録の募集物件の一覧表示画面に移行するボタンである。  
ログアウトボタン１９３は、ログアウトして募集者トップ画面１７０に戻るボタンである。  
この募集物件管理画面１９０で、新規登録ボタン１９１が押下されて、募集者側携帯電話機２０より募集物件登録依頼がなされると（ステップｎ１１）、管理サーバ１０は、募集物件登録画面データを募集者側携帯電話機２０のブラウザに合わせたデータ形式で送信する（ステップｎ１２）。  
募集者側携帯電話機２０は、図２６の画面イメージ図に示すように、前記募集物件登録画面データによる募集物件登録画面２００をモニタ２１（図１）に表示する（ステップｎ１３）。
【００７６】
募集物件登録画面２００は、作業内容プルダウンボタン２０１、募集人数入力テキストボックス２０２、場所表示部２０３、日時入力テキストボックス２０４、残業有無ラジオボタン２０５、給与種別選択ラジオボタン２０６、基本給与入力テキストボックス２０７、手当て入力テキストボックス２０８、集合場所入力テキストボックス２０９、備考入力テキストボックス２１０、表示区分チェックボックス２１１、確認画面へボタン２１２、戻るボタン２１３、およびＴＯＰボタン２１４を備えている。  
ここで、作業内容プルダウンボタン２０１は、登録する募集物件の予定する作業内容を選択させるプルダウンボタンである。
【００７７】
募集人数入力テキストボックス２０２は、登録する募集物件の募集する人数を入力させるテキストボックスである。  
場所表示部２０３は、募集者のセンター名が自動的に表示する表示部である。  
日時入力テキストボックス２０４は、登録する募集物件の開始、および終了予定日時を入力させるテキストボックスである。  
残業有無ラジオボタン２０５は、登録する募集物件の予定する残業の有無を選択させるラジオボタンである。  
給与種別選択ラジオボタン２０６は、登録する募集物件の給与形態を選択させるラジオボタンである。  
基本給与入力テキストボックス２０７は、登録する募集物件の基本給与を入力させるテキストボックスである。
【００７８】
手当て入力テキストボックス２０８は、登録する募集物件の手当て（例えば、資格手当の支給等）を入力させるテキストボックスである。  
集合場所入力テキストボックス２０９は、登録する募集物件の集合場所を入力させるテキストボックスである。  
備考入力テキストボックス２１０は、登録する募集物件の付記事項（例えば、交通費支給）を入力させるテキストボックスである。  
表示区分チェックボックス２１１は、上述した既登録の募集物件一覧表示画面に表示させるか否かを選択するチェックボックスである。
【００７９】
確認画面へボタン２１２は、入力内容を確認する入力内容確認画面に移行するボタンである。  
戻るボタン２１３は、前記募集物件管理画面１９０を表示する画面に移行するボタンである。  
ＴＯＰボタン２１４は、募集者トップ画面１７０（図２３）に移行するボタンである。  
この募集物件登録画面２００で各項目が入力され、確認画面へボタン２１２が押下されると、募集者側携帯電話機２０は確認画面へボタン押下情報とともに、
募集物件登録情報を管理サーバ１０へ送信する（ステップｎ１４）。
【００８０】
管理サーバ１０は、確認画面へボタン押下情報を受信した後に入力内容確認画面データを募集者側携帯電話機２０のブラウザに合わせたデータ形式で送信する（ステップｎ１５）。  
募集者側携帯電話機２０は、受信した入力内容確認画面データに基づいて、図２７の画面イメージ図に示すように、募集物件についての登録情報を確認させる募集物件登録確認画面２２０をモニタ２１（図１）に表示する（ステップｎ１６）。
【００８１】
この募集物件登録確認画面２２０では、前記募集物件登録画面２００（図２６）で入力された各情報を表示すると共に、登録ボタン２２１、戻るボタン２２２、およびＴＯＰボタン２２３を表示する。  
ここで、登録ボタン２２１は、表示している内容を登録依頼するボタンである。  
戻るボタン２２２は、表示している内容を修正可能にするべく、登録する募集物件に関する入力内容を保持した上で前記募集物件登録画面２００を表示する画面に移行するボタンである。  
ＴＯＰボタン２２３は、募集者トップ画面１７０に移行するボタンである。
【００８２】
この募集物件登録確認画面２２０で、登録ボタン２２１が押下されると、募集者側携帯電話機２０は登録依頼することを示す登録依頼情報を送信し、管理サーバ１０は、上記ステップｎ１４にて送信された募集物件登録情報を募集者管理ＤＢ１１に登録し（ステップｎ１７）、登録完了後に完了画面データを募集者側携帯電話機２０のブラウザに合わせたデータ形式で送信する（ステップｎ１８）。  
募集者側携帯電話機２０は、図２８の画面イメージ図に示すように、登録が完了した旨を確認させる募集物件登録完了確認画面２３０をモニタ２１（図１）に表示する（ステップｎ１９）。
【００８３】
募集物件登録完了確認画面２３０には、既登録の募集物件の一覧表示画面に移行するお仕事一覧画面へボタン２３１と募集者トップ画面１７０（図２３）に移行するＴＯＰボタン２３２を表示している。  
この募集物件登録完了確認画面２３０で、ＴＯＰボタン２３１が押下されると、募集者トップ画面１７０（図２３）へ移行して募集物件登録処理は終了し、また、お仕事一覧へボタン２３１が押下されると、募集者は募集物件管理画面１９０に移行して登録した募集物件を確認したり、上記手順を繰り返して別の募集物件を登録することができる。
【００８４】
以上の動作により、募集者が募集者側携帯電話機２０を操作して、管理サーバ１０への募集物件情報登録を登録することができる。これにより、管理サーバ１０では募集物件情報を管理することができ、登録作業者に募集物件情報の電子メールを送信できる環境が整う。  
したがって、募集者は、新規に募集物件が生じた際に、募集者側携帯電話機２０を操作することで、管理サーバ１０に募集物件を登録することができる。
【００８５】
次に、募集者が管理サーバ１０にアクセスして、登録した募集物件情報を該当する登録作業者に電子メール配信する配信処理について、図２９、および図３０に示すフローチャートと共に詳述する。
【００８６】
募集者の操作によって募集者側携帯電話機２０が、上述の募集物件登録処理と同様に管理サーバ１０によって入力したパスワードの適否を判定され（ステップｎ８：図２０）、適合確認後に、管理サーバ１０は募集物件管理画面データを募集者側携帯電話機２０のブラウザにあわせた形式のデータ（ＨＴＭＬやＨＤＭＬ等）で送信する（ステップｔ１）。  
募集者側携帯電話機２０は、上述した図２５の画面イメージ図に示すように、募集物件管理画面１９０をモニタ２１（図１）に表示する（ステップｔ２）。
【００８７】
この募集物件管理画面１９０で、表示された仕事一覧ボタン１９２が押下されて、募集者側携帯電話機２０より物件一覧表示依頼がなされると（ステップｔ３）、管理サーバ１０は、募集物件一覧画面データを募集者側携帯電話機２０のブラウザに合わせたデータ形式で送信する（ステップｔ４）。  
募集者側携帯電話機２０は、受信した募集物件一覧画面データに基づいて、図３１の画面イメージ図に示すように、登録された募集物件について一覧表示する募集物件一覧画面２４０をモニタ２１（図１）に表示する（ステップｔ５）。
【００８８】
この募集物件一覧画面２４０には、ログインした募集者によって既に登録された複数の募集物件を表示する募集物件表示２４１（２４１ａ、２４１ｂ）、およびＴＯＰボタン２４９を表示する。  
各募集物件表示２４１には、物件番号表示部２４２、電子メール送信確認表示部２４３（２４３ａ、２４３ｂ）、送信アドレスリストボタン２４４、仕事内容表示部２４５、応募ユーザ数表示部２４６、詳細・メール送信ボタン２４７、応募ユーザ一覧ボタン２４８を表示する。  
物件番号表示部２４２は、募集物件を登録した際に付与され、募集物件情報テーブル４２に格納されている募集ＩＤを表示する表示部である。
【００８９】
電子メール送信確認表示部２４３は、当該募集物件が登録作業者に対して電子メールを送信した募集物件であるか否かを表示する表示部である。したがって、募集物件情報を記載した電子メール送信していない場合は「※未送信※」（２４３ａ）と表示し、既に電子メールを送信している場合は「※送信済※」（２４３ｂ）と表示される。  
送信アドレスリストボタン２４４は、当該募集物件が既に電子メールを送信している場合に、送信した複数の作業者のアドレスリストを表示する送信アドレスリスト画面に移行するボタンである。  
仕事内容表示部２４５は、当該募集物件の募集物件情報テーブル４２に格納されている募集物件情報の一部を表示する表示部である。  
応募ユーザ数表示部２４６は、当該募集物件に応募している作業者数を表示する表示部である。  
詳細・メール送信ボタン２４７は、当該募集物件の募集物件情報を作業者に電子メールで送信するために、再度募集物件の物件情報を修正するための物件情報修正画面に移行するボタンである。
【００９０】
応募ユーザ一覧ボタン２４８は、当該募集物件に応募した作業者の一覧を表示する応募者一覧画面に移行するボタンである。  
ＴＯＰボタン２４９は、募集者トップ画面１７０（図２３）に移行するボタンである。  
この募集物件一覧画面２４０で、募集者が募集物件情報を配信しようとする募集物件表示２４１が選択されて、その募集物件表示２４１中の詳細・メール送信ボタン２４７が押下されると、募集者側携帯電話機２０は詳細・メール送信ボタン押下情報を管理サーバ１０へ送信する（ステップｔ６）。  
管理サーバ１０は、詳細・メール送信ボタン押下情報を受信した後に、物件情報修正画面データを募集者側携帯電話機２０のブラウザに合わせたデータ形式で送信する（ステップｔ７）。  
募集者側携帯電話機２０は、受信した物件情報修正画面データに基づいて、図３２の画面イメージ図に示すように、物件情報修正画面２５０をモニタ２１（図１）に表示する（ステップｔ８）。
【００９１】
この物件情報修正画面２５０では、募集物件登録画面２００（図２６）に表示された表示項目以外に、削除するチェックボタン２５１、メール送信ボタン２５２、およびお仕事一覧へボタン２５３を表示する。  
ここで、削除するチェックボタン２５１は、募集者管理ＤＢ１１から当該募集物件情報を削除するボタンである。  
メール送信ボタン２５２は、当該募集物件の募集物件情報を電子メールで登録作業者のうち配信条件に該当する登録作業者のみに送信するために、配信条件を入力するための配信条件入力画面に移行するボタンである。  
お仕事一覧へボタン２５３は、上述した募集物件一覧画面２４０に戻るボタンである。
【００９２】
なお、物件情報修正画面２５０中の募集物件登録画面２００の表示項目と同じ項目には、ステップｎ１４で管理サーバ１０へ送信された該当する募集物件の募集物件情報が表示されており、物件情報修正画面２５０中で内容を修正することができる。  
この物件情報修正画面２５０で、メール送信ボタン２５２が押下されると、募集者側携帯電話機２０は送信ボタン押下情報とともに、募集物件内容が修正された場合は修正され修正情報を管理サーバ１０へ送信する（ステップｔ９）。  
管理サーバ１０は、送信ボタン押下情報、または送信ボタン押下情報と修正情報とを受信した後に、配信条件入力画面データを募集者側携帯電話機２０のブラウザに合わせたデータ形式で送信する（ステップｔ１０）。  
募集者側携帯電話機２０は、受信した配信条件入力画面データに基づいて、図３３の画面イメージ図に示すように、配信条件入力画面２６０をモニタ２１（図１）に表示する（ステップｔ１１）。
【００９３】
この配信条件入力画面２６０では、性別プルダウンボタン２６１、年齢入力ボックス２６２、職業プルダウンボタン２６３、確認ボタン２６４、戻るボタン２６５、およびＴＯＰボタン２６６を表示する。  
性別プルダウンボタン２６１は、電子メールを配信したい登録作業者の性別を選択するプルダウンボタンである。  
年齢入力ボックス２６２は、数字を入力するテキストボックス２６２ａとラジオボタン２６２ｂとで構成し、テキストボックス２６２ａに入力された数字と、該数字に基づく範囲を選択するラジオボタンで、案内条件に基づいて電子メールを配信したい登録作業者の年齢の範囲を決定する入力ボックスである。  
職業プルダウンボタン２６３は、案内条件に基づいて電子メールを配信したい登録作業者の職業種別を選択するプルダウンボタンである。
【００９４】
確認ボタン２６４は、上記入力項目に入力した内容を確認する配信条件確認画面に移行するボタンである。  
戻るボタン２６５は、物件情報修正画面２５０に戻るボタンである。  
ＴＯＰボタン２６６は、募集者トップ画面１７０（図２３）に移行するボタンである。  
この配信条件入力画面２６０で、確認ボタン２６４が押下されて、募集者側携帯電話機２０より配信条件情報が送信されると（ステップｔ１２）、管理サーバ１０は、配信条件確認画面データを募集者側携帯電話機２０のブラウザに合わせたデータ形式で送信する（ステップｔ１３）。  
募集者側携帯電話機２０は、図３４の画面イメージ図に示すように、前記配信条件確認画面データによる配信条件確認画面２７０をモニタ２１（図１）に表示する（ステップｔ１４）。
【００９５】
配信条件確認画面２７０は、配信条件表示部２７１、送信ボタン２７２、戻るボタン２７３、およびＴＯＰボタン２７４を備えている。  
配信条件表示部２７１は、配信条件入力画面２６０で入力され、ステップｔ１２で募集者側携帯電話機２０から管理サーバ１０に送信された配信条件を表示する表示部である。  
送信ボタン２７２は、配信条件表示部２７１で表示された配信条件に基づいて該当する登録作業者に、当該募集物件情報が記載された電子メールの送信を指示するボタンである。  
戻るボタン２７３は、配信条件入力画面２６０に戻るボタンである。  
ＴＯＰボタン２７４は、募集者トップ画面１７０（図２３）に移行するボタンである。
【００９６】
この配信条件確認画面２７０で送信ボタン２７２が押下されると、募集者側携帯電話機２０は送信指示情報を管理サーバ１０へ送信する（ステップｔ１５）。  
管理サーバ１０は、送信指示情報を受信した後に、ステップｔ１３で送信された配信条件情報に基づいて該当する登録作業者を抽出し（ステップｔ１６）、ステップｔ９で受信した修正物件情報、またはステップｔ９で募集物件情報が修正されなかった場合は、ステップｎ１４（図２１）で受信した募集物件情報を、電子メールで配信し（ステップｔ１７）、電子メール配信完了後に電子メール配信完了画面データを募集者側携帯電話機２０のブラウザに合わせたデータ形式で送信する（ステップｔ１８）。  
作業者側携帯電話機３０は、管理サーバ１０からの募集物件情報が記載された電子メールを受信し（ステップｔ１９）、募集者側携帯電話機２０は、受信した電子メール配信完了画面データに基づいて、図３５の画面イメージ図に示すように、募集物件情報の記載された電子メール配信完了画面２８０をモニタ２１（図１）に表示する（ステップｔ２０）。
【００９７】
この募集物件情報の記載された電子メール送信完了画面２８０では、お仕事一覧へボタン２８１、およびＴＯＰボタン２８２を表示する。  
お仕事一覧へボタン２８１は、募集物件一覧画面２４０（図３１）に移行するボタンである。  
ＴＯＰボタン２８２は、募集者トップ画面１７０（図２３）に移行するボタンである。  
この電子メール送信完了画面２８０で、ＴＯＰボタン２８２が押下されると、募集者トップ画面１７０（図２３）へ移行して募集物件情報配信処理は終了する。  
また、お仕事一覧へボタン２８１が押下されると、募集者は引き続き、ステップｔ５に戻り、別件の募集物件情報配信処理を実施することができる。
【００９８】
以上の動作により、募集者は募集者側携帯電話機２０を操作して、作業者側携帯電話機３０への募集物件情報の記載された電子メールを配信する配信条件を入力し、募集対象に該当する登録作業者への電子メールの配信を指示することができる。また、管理サーバ１０では、配信条件に該当する作業者を抽出し、募集物件情報が記載された電子メールを、この登録作業者の作業者側携帯電話機３０の電子メールアドレスに配信することができる。これにより、登録作業者は、応募資格を有する募集物件情報が記載された電子メールのみを受信することができる。  
したがって、案内条件に基づいて抽出された登録作業者からしか応募されず、全登録作業者に募集物件情報の記載された電子メールを配信する場合と比較して、案内効率を向上させることができる。
【００９９】
次に、登録作業者が管理サーバ１０にアクセスして、ステップｔ１９（図３０）で受信した募集物件情報の記載された電子メールに基づいて募集物件に応募登録する登録処理について、図３６、および図３７に示すフローチャートと共に詳述する。  
登録作業者の操作によって作業者側携帯電話機３０が、ステップｔ１９（図３０）で受信した募集物件情報の記載された電子メールに記載された管理サーバ１０の提供する作業者用ホームページのＵＲＬへアクセスすると（ステップｕ１）、管理サーバ１０はトップ画面データを作業者側携帯電話機３０のブラウザにあわせた形式のデータ（ＨＴＭＬやＨＤＭＬ等）で送信し（ステップｕ２）、作業者側携帯電話機３０は、上述した作業者用トップ画面７０（図１１）をモニタ３１（図１）に表示する（ステップｕ３）。
【０１００】
この作業者用トップ画面７０で、上述のログインボタン７３が押下されると、作業者側携帯電話機３０はログインボタン押下情報を管理サーバ１０へ送信する（ステップｕ４）。  
管理サーバ１０は、ログインボタン押下情報を受信した後に作業者ログイン画面データを作業者側携帯電話機３０のブラウザに合わせたデータ形式で送信する（ステップｕ５）。  
作業者側携帯電話機３０は、図３９の画面イメージ図に示すように、受信した作業者ログイン画面データに基づいて作業者ログイン画面２９０をモニタ３１（図１）に表示する（ステップｕ６）。
【０１０１】
この作業者ログイン画面２９０では、アカウント入力テキストボックス２９１、パスワード入力テキストボックス２９２、コチラボタン２９３、ログインボタン２９３、および戻るボタン２９４を表示する。  
アカウント入力テキストボックス２９１は、作業者登録処理で設定登録したアカウントを入力するテキストボックスである。  
パスワード入力テキストボックス２９２は、作業者登録処理で設定登録したパスワードを入力するテキストボックスである。  
コチラボタン２９３は、作業者登録処理で設定登録したパスワードを、忘れた場合に、パスワードをシステム管理者に問い合わせる問い合わせ画面に移行するボタンである。
【０１０２】
ログインボタン２９４は、ポイント表示・募集物件一覧画面に移行するボタンである。  
戻るボタン２９５は、作業者用トップ画面７０に戻るボタンである。  
この作業者ログイン画面２９０で、アカウント入力テキストボックス２９１、およびパスワード入力テキストボックス２９２のそれぞれに、登録作業者のアカウント、およびパスワードが入力された後に、ログインボタン２９４が押下されると、作業者側携帯電話機３０はアカウント、およびパスワードの入力情報を管理サーバ１０へ送信する（ステップｕ７）。  
管理サーバ１０は、入力情報を受信した後に、管理サーバ１０に記憶された登録作業者情報テーブル４３内に格納された登録作業者のパスワードを照会し、パスワードが適合する場合（ステップｕ８：Ｙｅｓ）は、ポイント表示・募集物件一覧画面データを作業者側携帯電話機３０のブラウザに合わせたデータ形式で送信する（ステップｕ９）。もし、パスワードが適合しない場合（ステップｕ８：Ｎｏ）は、作業者ログイン画面データを作業者側携帯電話機３０のブラウザに合わせたデータ形式で送信（ステップｕ５）して、再度のログインを促す。
【０１０３】
このとき、管理サーバ１０は、募集人数と応募者数とを比較し、応募中であるか、応募締め切りであるかを判定し、その判定結果もポイント表示・募集物件一覧画面にデータに含める。  
作業者側携帯電話機３０は、受信したポイント表示・募集物件一覧画面データに基づいて、図４０の画面イメージ図に示すように、ポイント表示・募集物件一覧画面３００をモニタ３１（図１）に表示する（ステップｕ１０）。
【０１０４】
このポイント表示・募集物件一覧画面３００では、ポイント表示部３０１、ランク別給与割増率表ボタン３０２、および募集物件表示３０３を表示する。  
ポイント表示部３０１は、登録作業者情報テーブル４３に格納された作業者の累積ポイントと、累積ポイントに対応する、ランク別給与割増率管理テーブル４６に格納された時給割り増しランクとを表示する部分である。  
ランク別給与割増率表ボタン３０２は、ランク別給与割増率表表示画面に移行するボタンである。
【０１０５】
募集物件表示３０３は、現在応募できる募集物件の物件情報の一部を表示する部分であり、各募集物件表示３０３には、応募状況表示部３０４（３０４ａ、３０４ｂ）、および詳細ボタン３０５を表示する。  
応募状況表示部３０４は、当該募集物件に対する応募状況を表示する表示部であり、応募中であれば募集物件表示３０４ａに示すように「※応募受付中※」と示され、募集人員より多い応募が既にあった場合には募集物件表示３０４ｂのように「※定員オーバ※」と表示する。  
詳細ボタン３０５は、その募集物件の詳細な募集物件情報を表示する募集物件情報詳細表示画面に移行するボタンである。
【０１０６】
このポイント表示・募集物件一覧画面３００で、表示されたランク別給与割増率表ボタン３０２が押下されて、作業者側携帯電話機３０よりランク別給与割増率表ボタン押下情報が送信されると（ステップｕ１１：Ｙｅｓ）、管理サーバ１０は、ランク別給与割増率表ボタン押下情報を受信した後にランク別給与割増率表画面データを作業者側携帯電話機３０のブラウザに合わせたデータ形式で送信する（ステップｕ１２）。  
作業者側携帯電話機３０は、受信したランク別給与割増率表画面データに基づいて、図４１の画面イメージ図に示すように、ランク別給与割増率表画面３１０をモニタ２１（図１）に表示する（ステップｕ１３）。
【０１０７】
このランク別給与割増率表画面３１０には、ランク別対応表表示部３１１、および戻るボタン３１２を表示する。  
ランク別対応表表示部３１１は、ランク別給与割増率管理テーブル４６に格納されたランク別給与割増率表を表示する表示部である。  
戻るボタン３１２は、ポイント表示・募集物件一覧画面３００に戻るボタンである。  
ポイント表示・募集物件一覧画面３００でランク別給与割増率表ボタン３０２が押下されず（ステップｕ１１：Ｎｏ）、選択された募集物件の募集物件表示３０３に表示した詳細ボタン３０５が押下されると、作業者側携帯電話機３０は詳細ボタン押下情報を送信する（ステップｕ１４）。
【０１０８】
管理サーバ１０は、詳細ボタン押下情報を受信した後に募集物件詳細画面データを作業者側携帯電話機３０のブラウザに合わせたデータ形式で送信する（ステップｕ１５）。  
作業者側携帯電話機３０は、受信した募集物件詳細画面データに基づいて、図４２の画面イメージ図に示すように、募集物件詳細画面３２０をモニタ３１（図１）に表示する（ステップｕ１６）。
【０１０９】
この募集物件詳細画面３２０では、募集物件詳細情報表示部３２１、申込ボタン３２２、戻るボタン３２３、およびＴＯＰボタン３２４を表示する。  
募集物件詳細情報表示部３２１は、募集物件情報テーブル４２に格納された当該募集物件の物件情報を表示する表示部である。  
申込ボタン３２２は、当該募集物件への応募を確認する応募確認画面に移行するボタンである。  
戻るボタン３２３は、ポイント表示・募集物件一覧画面３００に戻るボタンである。  
ＴＯＰボタン３２４は、作業者トップ画面１７０（図２３）に移行するボタンである。
【０１１０】
この募集物件詳細画面３２０で、申込ボタン３２２が押下されると、作業者側携帯電話機３０は申込ボタン押下情報を管理サーバ１０へ送信する（ステップｕ１７）。  
管理サーバ１０は、申込ボタン押下情報を受信した後に、応募確認画面データを作業者側携帯電話機３０のブラウザに合わせたデータ形式で送信する（ステップｕ１８）。  
作業者側携帯電話機３０は、受信した応募確認画面データに基づいて、図４３の画面イメージ図に示すように、応募確認画面３３０をモニタ３１（図１）に表示する（ステップｕ１９）。
【０１１１】
この応募確認画面３３０では、募集物件情報表示部３３１、申込ボタン３３２、戻るボタン３３３、およびＴＯＰボタン３３４を表示する。  
募集物件情報表示部３３１は、応募した募集物件に対応する募集物件情報テーブル４２に格納された当該募集物件の物件情報の一部を表示する表示部である。  
申込ボタン３３２は、管理サーバ１０に当該募集物件への応募登録を指示するボタンである。
【０１１２】
戻るボタン３３３は、募集物件詳細画面３２０に戻るボタンである。  
ＴＯＰボタン３３４は、作業者トップ画面１７０（図２３）に移行するボタンである。  
この応募確認画面３３０で、申込ボタン３３３が押下されると、作業者側携帯電話機３０は申込ボタン押下情報を管理サーバ１０へ送信する（ステップｕ２０）。
【０１１３】
管理サーバ１０は、申込ボタン押下情報を受信した際に、当該募集物件に対応する募集物件情報テーブル４２に基づく募集ＩＤ、応募した登録作業者に対応する登録作業者情報テーブル４３に基づく作業者ＩＤ、および申込ボタン押下情報を受信した際の日時を、応募履歴テーブル４５に登録する（ステップｕ２１）。  
また、管理サーバ１０は、応募完了確認画面データを作業者側携帯電話機３０のブラウザに合わせたデータ形式で送信するとともに、応募完了メールを作業者側携帯電話機３０のメーラーに合わせたデータ形式で送信する（ステップｕ２２）。  
作業者側携帯電話機３０は、管理サーバ１０から受信した応募完了確認画面データに基づいて、図４４の画面イメージ図に示すように、応募完了確認画面３４０をモニタ３１（図１）に表示するとともに、応募完了メールを受信する（ステップｕ２３）。
【０１１４】
この応募完了確認画面３４０では、ログアウトボタン３４１、およびお仕事情報一覧へボタン３４２を表示する。  
ログアウトボタン３４１は、ログアウトして作業者ログイン画面２９０（図３９）に戻るボタンである。  
お仕事情報一覧へボタン３４２は、ログアウトせずにポイント表示・募集物件一覧画面３００（図４０）に戻るボタンである。
【０１１５】
この応募完了確認画面３４０で、ログアウトボタン３４１が押下されると、ログアウトして作業者用トップ画面７０（図１１）へ移行し、応募登録処理は終了する。  
また、お仕事一覧へボタン３４２が押下されると、登録作業者は引き続き、ステップｕ１０に戻り、別の募集物件に対しての応募登録を実施することができる。
【０１１６】
以上の動作により、登録作業者は、管理サーバ１０からの募集物件情報が記載された電子メールを受信した後、作業者側携帯電話機３０を操作して、管理サーバ１０に登録されている募集物件の一覧を閲覧でき、該当する募集物件に応募することができる。また、応募する前に、自己の評価に基づく待遇を知ることができるとともに、募集物件に応募する際に当該募集物件の応募状況を確認しながら応募することができる。さらに、管理サーバ１０では、作業者側携帯電話機３０から登録作業者の応募情報を取得して、管理することができる。
【０１１７】
したがって、登録作業者は、ポイント表示・募集物件一覧画面３００（図４０）で自己の累積ポイントによる待遇を知ることができるため、登録作業者の応募意欲を高め、募集物件に対する応募率を高めることができる。また、自己の勤務評価に基づいてポイントが累積されるため、登録作業者の継続的な応募を促すことができる。また、実際に登録作業者が作業した際に、継続的にポイントが累積されるため、業務に対しての意欲を向上させることができる。
【０１１８】
また、登録作業者は、募集物件情報の記載された電子メールを受信した作業者側携帯電話機３０で、そのまま当該募集物件に応募することができるため、利便性が向上する。また、登録作業者は、募集人員を越える応募のあった募集物件を応募前に知ることができ、応募が無駄となることを防止することができる。
【０１１９】
次に、募集者が管理サーバ１０にアクセスして、登録した募集物件に応募登録した登録作業者を採用する採用処理について、図４５に示すフローチャートとともに詳述する。
【０１２０】
図２９とともに前述したステップｔ５で、募集者によって、選択された募集物件の応募ユーザ一覧ボタン２４８（図３１）が押下されると、募集者側携帯電話機２０は応募ユーザ一覧ボタン押下情報を管理サーバ１０へ送信する（ステップｖ１）。  
管理サーバ１０は、応募ユーザ一覧ボタン押下情報を受信した後に応募ユーザ一覧画面データを募集者側携帯電話機２０のブラウザに合わせたデータ形式で送信する（ステップｖ２）。  
募集者側携帯電話機２０は、上述した図４６の画面イメージ図に示すように、受信した応募ユーザ一覧画面データに基づいて、応募ユーザ一覧画面３５０をモニタ２１（図１）に表示する（ステップｖ３）。
【０１２１】
この応募ユーザ一覧画面３５０では、募集物件情報表示部３５１、応募ユーザ数表示部３５２、応募したユーザ数分の応募ユーザ表示部３５３、戻るボタン３５５、次へボタン３５６、およびＴＯＰボタン３５７を表示する。  
募集物件情報表示部３５１は、募集ＩＤ等の該当する募集物件情報の一部を表示する表示部である。  
応募ユーザ数表示部３５２は、該当する募集物件に対して応募した登録作業者数を表示する表示部である。  
応募ユーザ表示部３５３は、当該募集物件に対して応募した登録作業者の氏名、電話番号ボタン３５４、および当該登録作業者の所属センター名の作業者情報を表示する表示部である。
【０１２２】
電話番号ボタン３５４は、募集者側携帯電話機２０によって、表示された電話番号に架電するボタンである。  
戻るボタン３５５、および次へボタン３５６は、当該募集物件に対して応募した応募ユーザ数が多く、モニタ２１（図１）の一画面に表示しきれず応募ユーザ一覧画面３５０が複数に渡る場合に、現在の応募ユーザ一覧画面３５０から前画面に戻るボタン、および次画面に移行するボタンである。なお、図４６に示す本実施形態においては、応募ユーザ数５人に対して、４人の応募した登録作業者が応募ユーザ一覧画面３５０に表示されており、残りの一人の応募した登録作業者を確認するために、次へボタン３５６を押下して、次の応募ユーザ一覧画面３５０を確認すればよい。  
ＴＯＰボタン３５７は、募集者トップ画面１７０（図２３）に移行するボタンである。
【０１２３】
この応募ユーザ一覧画面３５０で、選択された応募ユーザ表示部３５３の電話番号ボタン３５４が押下されると、募集者側携帯電話機２０は、マイク等の音声入力装置、スピーカ等の発音装置、および、アンテナ等の通信装置（通信部）によって、登録作業者情報テーブル４３に格納された当該登録作業者の作業者側携帯電話機３０の電話番号に架電する（ステップｖ４）。  
募集者側携帯電話機２０によって架電された作業者側携帯電話機３０は、作業者側携帯電話機３０に備えたマイク等の音声入力装置、スピーカ等の発音装置、および、アンテナ等の通信装置（通信部）によって受話する（ステップｖ５）。  
上記ステップｖ４、およびステップｖ５を、募集人員数分繰り返して、採用処理は終了する（ステップｖ６）。
【０１２４】
以上の動作により、募集者は募集者側携帯電話機２０を操作して、管理サーバ１０に登録された登録作業者からの募集物件に対しての応募を確認でき、応募ユーザ一覧に表示された作業者情報のうちの電話番号ボタン３５４を押下することで、作業者側携帯電話機３０に架電することができる。
【０１２５】
これにより、募集者は、直接通話によって応募した登録作業者と打ち合わせをすることができ、募集物件情報に記載し切れなかったような詳細な打合せをすることができる。また、実際に作業にかかるまでに電子メールでの打合せだけでなく、通話することができるため、登録作業者、および募集者ともに、安心して申込、および採用することができる。
【０１２６】
また、電子メールのやり取りだけで採用された登録作業者と比べ、直接通話することによって採用された登録作業者は、採用されたことによる責任感が向上するため、間際になってから、当該募集物件に参加することをキャンセルする確率を低減することができる。したがって、効率の良い採用を行うことができる。
【０１２７】
なお、登録作業者へのポイント表示を、ポイント表示・募集物件一覧画面３００（図４０）で表示せず、管理サーバ１０から受信する募集物件情報が記載された電子メール（ステップｔ１９（図３０））に、登録作業者の累積ポイントを記載して通知してもよい。これにより、登録作業者は、作業者側携帯電話機３０でポイント表示・募集物件一覧画面３００（図４０）を表示せずとも、募集物件情報が記載された電子メールで自己の累積ポイントによる待遇を確認することができる。したがって、待遇のよいポイント表示の記載された登録作業者によって、募集物件に対する応募効率をさらに、向上させることができる。
【０１２８】
また、応募状況表示部３０４の代わりに応募状況確認ボタンとし、募集物件の募集人員に対する登録作業者の応募者数を確認できる応募者数確認画面に移行できるようにしてもよい。
【０１２９】
これにより、応募する作業者は、応募状況を確認し、また自分の今後予定を考慮して、応募を急ぐ、あるいは猶予するといったように、自己の状況に合わせて調整しながら募集物件に応募することができる。
【０１３０】
また、募集者が管理サーバ１０にアクセスして、登録した募集物件情報を該当する登録作業者に電子メール配信する配信処理において、募集物件情報の記載された電子メールを配信する前に、該当する登録作業者の人数を募集者側携帯電話機２０に出力するように、管理サーバ１０を構成してもよい。
【０１３１】
なお、以下で説明する図４７のフローチャートは、図３０で示すフローチャートのステップｔ１１とステップｔ１２の部分を抜き出し、抽出された登録作業者の人数を募集者側携帯電話機２０に表示するための抽出人数出力処理を付加したものである。  
この場合、ステップｔ１１で表示した配信条件入力画面２６０（図３３）に、各表示（２６１〜２６６）に加えて、送信対象人数確認ボタンを表示させる。  
この配信条件入力画面２６０で、各入力項目（２６１〜２６３）を入力後に、前記送信対象人数確認ボタンが押下されると、募集者側携帯電話機２０は入力情報とともに送信対象人数確認ボタン押下情報を管理サーバ１０へ送信する（ステップａ１：Ｙｅｓ）。
【０１３２】
管理サーバ１０は、入力情報とともに送信対象人数確認ボタン押下情報を受信した後に、入力情報に基づいて登録作業者を抽出し、抽出した抽出人数データを含む抽出人数確認画面データを募集者側携帯電話機２０のブラウザに合わせたデータ形式で送信する（ステップａ２）。  
募集者側携帯電話機２０は、受信した抽出人数確認画面データに基づいて、案内条件に基づいて抽出された登録作業者の人数を確認する抽出人数確認画面をモニタ２１（図１）に表示する（ステップａ３）。  
この抽出人数確認画面では、抽出人数を表示する抽出人数表示部と、配信条件入力画面２６０に戻るための戻るボタンとを表示する。
【０１３３】
この抽出人数確認画面で、募集者によって抽出人数を確認され、その抽出人数が当該募集物件に対して適する人数であると判断された場合（ステップａ４：Ｙｅｓ）、戻るボタンが押下されて配信条件入力画面２６０に戻った後に、確認ボタン２６４が押下されて（ステップｔ１２）、上述したステップｔ１２以降の処理が行なわれる。  
なお、配信条件入力画面２６０で、この送信対象人数確認ボタンが押下されず（ステップａ１：Ｎｏ）、確認ボタン２６４が押下されてもよい。
【０１３４】
また、募集者によって確認された抽出人数が当該募集物件に対して適しないと判断された場合（ステップａ４：Ｎｏ）、戻るボタンが押下され、配信条件入力画面２６０に戻った後に、調整された案内条件が各入力項目に再度入力されて、前記送信対象人数確認ボタンを押下される。なお、募集者によって抽出人数が当該募集物件に対して適すると判断されるまで、上記ステップａ１からステップａ４を繰り返される。
【０１３５】
以上の構成により、募集者は、募集情報を記載した電子メールを配信する前に、抽出された登録作業者の人数を確認することができる。  
したがって、募集者は、案内条件を調整することで、電子メールを配信する抽出された登録作業者の人数を調整することができる。
【０１３６】
この募集物件登録確認画面２２０では、前記募集物件登録画面２００（図２６）で入力された各情報を表示すると共に、登録ボタン２２１、戻るボタン２２２、およびＴＯＰボタン２２３を表示する。  
ここで、登録ボタン２２１は、表示している内容を登録依頼するボタンである。  
戻るボタン２２２は、表示している内容を修正可能にするべく、登録する募集物件に関する入力内容を保持した上で前記募集物件登録画面２００を表示する画面に移行するボタンである。  
ＴＯＰボタン２２３は、募集者トップ画面１７０に移行するボタンである。
【０１３７】
この募集物件登録確認画面２２０で、登録ボタン２２１が押下されると、募集者側携帯電話機２０は登録依頼することを示す登録依頼情報を送信し、管理サーバ１０は、上記ステップｎ１４にて送信された募集物件登録情報を募集者管理ＤＢ１１に登録し（ステップｎ１７）、登録完了後に完了画面データを募集者側携帯電話機２０のブラウザに合わせたデータ形式で送信する（ステップｎ１８）。  
募集者側携帯電話機２０は、図２８の画面イメージ図に示すように、登録が完了した旨を確認させる募集物件登録完了確認画面２３０をモニタ２１（図１）に表示する（ステップｎ１９）。
【０１３８】
この発明の構成と、上述の実施形態との対応において、
この発明の募集物件管理システムは、作業者募集管理システム１に対応し、
以下同様に、
募集者側携帯電話端末は、募集者側携帯電話機２０に対応し、
作業者側携帯電話端末は、作業者側携帯電話機３０に対応し、
作業者情報記憶手段は、登録作業者情報テーブル４３に対応し、
電気通信回線は、インターネット５１、およびパケット通信網５２に対応し、
応募状況出力手段は、応募状況表示部３０４に対応し、
架電先指定手段は、電話番号ボタン３５４に対応し、
抽出人数出力手段は、ステップａ２を実行する管理サーバ１０の制御装置および通信装置に対応し、
電子メール配信指示手段は、ステップｔ１５を実行する募集者側携帯電話機２０の制御装置および通信装置に対応し、
作業者抽出手段は、ステップｔ１６を実行する管理サーバ１０の制御装置および記憶装置に対応し、
電子メール配信手段は、ステップｔ１７を実行する管理サーバ１０の制御装置および通信装置に対応し、
待遇出力手段は、ステップｕ１０を実行する管理サーバ１０の制御装置および記憶装置に対応し、
応募受付手段は、ステップｕ２１を実行する管理サーバ１０の制御装置および記憶装置に対応し、
案内条件入力手段は、ステップｎ１３を実行する募集者側携帯電話機２０の入力装置および制御装置に対応し、
応募情報確認手段は、ステップｖ３を実行する募集者側携帯電話機２０の制御装置および表示装置に対応し、
架電手段は、ステップｖ４を実行する募集者側携帯電話機２０の制御装置および入力装置に対応し、
応募情報送信手段は、ステップｕ１７を実行する作業者側携帯電話機３０の制御装置および通信装置に対応し、
メール受信手段は、ステップｕ２２を実行する作業者側携帯電話機３０の制御装置および通信装置に対応し、
受話手段は、ステップｖ５を実行する作業者側携帯電話機３０の音声入力装置、発音装置および通信装置に対応するも、
この発明は、上述の実施形態の構成のみに限定されるものではなく、多くの実施の形態を得ることができる。
【図面の簡単な説明】
【０１３９】
【図１】作業者募集管理システムのシステム構成図。
【図２】募集者情報テーブルのデータ構成図。
【図３】募集物件情報テーブルのデータ構成図。
【図４】登録者情報管理テーブルのデータ構成図。
【図５】作業者登録センター管理テーブルのデータ構成図。
【図６】応募履歴テーブルのデータ構成図。
【図７】ランク別給与割増率管理テーブルのデータ構成図。
【図８】作業者登録処理のフローチャート。
【図９】作業者登録処理のフローチャート。
【図１０】作業者登録処理のフローチャート。
【図１１】作業者用トップ画面の画面イメージ図。
【図１２】システム説明表示画面の画面イメージ図。
【図１３】ユーザ規約同意画面の画面イメージ図。
【図１４】ユーザ規約画面の画面イメージ図。
【図１５】ユーザ登録画面の画面イメージ図。
【図１６】ユーザ登録情報確認画面の画面イメージ図。
【図１７】センター選択画面の画面イメージ図。
【図１８】センター選択確認画面の画面イメージ図。
【図１９】登録完了確認画面の画面イメージ図。
【図２０】募集物件登録処理のフローチャート。
【図２１】募集物件登録処理のフローチャート。
【図２２】募集物件登録処理のフローチャート。
【図２３】募集者トップ画面の画面イメージ図。
【図２４】募集者ログイン画面の画面イメージ図。
【図２５】募集物件管理画面の画面イメージ図。
【図２６】募集物件登録画面の画面イメージ図。
【図２７】募集物件登録確認画面の画面イメージ図。
【図２８】募集物件登録完了確認画面の画面イメージ図。
【図２９】募集物件情報配信処理のフローチャート。
【図３０】募集物件情報配信処理のフローチャート。
【図３１】募集物件一覧画面の画面イメージ図。
【図３２】物件情報修正画面の画面イメージ図。
【図３３】配信条件入力画面の画面イメージ図。
【図３４】配信条件確認画面の画面イメージ図。
【図３５】募集物件情報の記載された電子メール配信完了画面の画面イメージ図。
【図３６】応募登録処理のフローチャート。
【図３７】応募登録処理のフローチャート。
【図３８】応募登録処理のフローチャート。
【図３９】作業者ログイン画面の画面イメージ図。
【図４０】作業者評価・募集物件一覧画面の画面イメージ図。
【図４１】ランク別給与割増率表画面の画面イメージ図。
【図４２】募集物件詳細画面の画面イメージ図。
【図４３】応募確認画面の画面イメージ図。
【図４４】応募完了確認画面の画面イメージ図。
【図４５】採用処理のフローチャート。
【図４６】応募ユーザ一覧画面の画面イメージ図。
【図４７】抽出人数出力処理のフローチャート。
【符号の説明】
【０１４０】
１…作業者募集管理システム
１０…管理サーバ
２０…募集者側携帯電話機
３０…作業者側携帯電話機
４３…登録作業者情報テーブル
５１…インターネット
５２…パケット通信網
３０４…応募状況表示部
３５４…電話番号ボタン
【図１】
2006293915.tif 000003
【図２】
2006293915.tif 000004
【図３】
2006293915.tif 000005
【図４】
2006293915.tif 000006
【図５】
2006293915.tif 000007
【図６】
2006293915.tif 000008
【図７】
2006293915.tif 000009
【図８】
2006293915.tif 000010
【図９】
2006293915.tif 000011
【図１０】
2006293915.tif 000012
【図１１】
2006293915.tif 000013
【図１２】
2006293915.tif 000014
【図１３】
2006293915.tif 000015
【図１４】
2006293915.tif 000016
【図１５】
2006293915.tif 000017
【図１６】
2006293915.tif 000018
【図１７】
2006293915.tif 000019
【図１８】
2006293915.tif 000020
【図１９】
2006293915.tif 000021
【図２０】
2006293915.tif 000022
【図２１】
2006293915.tif 000023
【図２２】
2006293915.tif 000024
【図２３】
2006293915.tif 000025
【図２４】
2006293915.tif 000026
【図２５】
2006293915.tif 000027
【図２６】
2006293915.tif 000028
【図２７】
2006293915.tif 000029
【図２８】
2006293915.tif 000030
【図２９】
2006293915.tif 000031
【図３０】
2006293915.tif 000032
【図３１】
2006293915.tif 000033
【図３２】
2006293915.tif 000034
【図３３】
2006293915.tif 000035
【図３４】
2006293915.tif 000036
【図３５】
2006293915.tif 000037
【図３６】
2006293915.tif 000038
【図３７】
2006293915.tif 000039
【図３８】
2006293915.tif 000040
【図３９】
2006293915.tif 000041
【図４０】
2006293915.tif 000042
【図４１】
2006293915.tif 000043
【図４２】
2006293915.tif 000044
【図４３】
2006293915.tif 000045
【図４４】
2006293915.tif 000046
【図４５】
2006293915.tif 000047
【図４６】
2006293915.tif 000048
【図４７】
2006293915.tif 000049